(57)【要約】      （修正有）【課題】使用する物体にフィットした大きさにする事ができ、必要な時に必要に応じて、四方八方の角度に広げたり少なくする事が出来る。又、１ヶ所のフロートが壊れても、他の連結されているフロートとして独立し、ジョイントされているため安全かつ壊れた部分のみ取り換える事ができるフロートを提供する。【解決手段】丸形、三角形、角形等、いろいろな形のフロートに、多角度、脱着機能のジョイントを付ける事により、必要に合わせて大きくしたり小さくしたり出来るフロート。【選択図】図１
0003129705.tif 000002
【実用新案登録請求の範囲】
【請求項１】
丸形、角形、三角形、等、いろいろな形のフロートに各フロートの独立した、多角度の脱着機能付きジョイントを付ける。
【請求項２】
ホース状の空気の吸排口を、フロートの中へ、さし込み、接着し、先に行くほど、ホースを潰し薄くする。
【考案の詳細な説明】
【技術分野】
【０００１】  本考案は、使用する物にフィットさせる事が出来、ムダを少なく、必要な時、必要に応じて、いろいろな角度に広大出来る。１ケ所のフロートが壊れても、他の連結されているフロートが、フロートとして独立しジヨイントされている為案全、かつ、ムダを最小限に止める事が出来る。吸排口を、フロートの中に入れ、フロートと吸排口の接着面をフラツトにする事により、ふやけた肌にやさしい。吸排口のホースの先に行くほど薄く、かつ潰して行く事により、中に入れた空気圧で薄くなった、ホースを押し潰すので空気が、もれない。
【背景技術】
【０００２】  連結させる、フロートは今迄も有りますが、いろいろな角度に継足したり、へらしたり、する事が出来なく。吸排口が、フロートより張出したりしているので、ふやけた肌が、傷ついたり、ミミズばれの原因となっていた。薄くした吸排口は有りますが、口元から先まで薄いので強度にかける。
【考案の開示】
【考案が解決しようとする課題】
【０００３】  今迄のフロートは、フロートに物を合わせる為、無理が生じ、フロートを使用しようとする、物体が、抜けてしまう事がある。吸排口が、フロートより張出していると、水にふやけた肌を傷つけたり、ミミズばれになる事が多い。吸排口を出来るだけ簡素にし、張出しや無駄をなくす。
【課題を解決する為の手段】
【０００４】  多角度、脱着、機能付、ジヨイントを付ける事により、物に合わせて、無限大に、大きくしたり、小さくする事が出来る。吸排口を、フロートの中に入れ、フロートと吸排口をフラットにする事により、吸排口が、肌に触れた時、肌に優しい。吸排口を、フタ無しで使うためには、フロート内の空気圧を最大限に利用、その為にも、吸排用ホースを出来るだけ薄く、平べったく、しなければならないが、吸排用ホース、全部を薄くすると強度が弱いので、ジヨジヨに薄く、平らにした。
【考案の効果】
【０００５】  フロートに物を合わせる事なく、物にフロートを合わせて形成する事が出来るので、物にフィットする。フロートの１ケ所が、破損しても、他の独立したフロートがジヨイントで継がっているので破損部のみ取変える事が出来る。個々のフロートが、継がっているので、１ケ所が破損しても、他のフロートが残っているので、案全である。１ケ所のみ取変える事が出来るので、ムダが少ない。吸排口が、フロートの表面と、フラツトなので、水にふやけた肌を傷つけない。空気の吸排は、ストロー１本で可能になる。
【考案の実施する為の最良の形能】
【０００６】  四方、八方にジヨイントを付ける事により、平面は、もちろんの事、立体的に、フロートを形成する事が出来、色々な物にフィットさせる事が出来る。吸排口を、出来るだけ、フロートの表面とフラットにし肌のタッチを良くする。吸排口のホースを除々に平たく薄くし、薄い部分を、多小、おおめに取る。
【実施例】
【０００７】  オイルフエンス等、その時々によって使用する長さや、高さが変わっても、現場で簡単に変える事が出来る。人に装着する際も、幼児から、大人迄、フロートの数を変えて使用出来る。使用する、場所で、万一、破損しても、破損した部分のみ、変える事が出来る。
【図面の簡単な説明】
【０００８】
【図１】連結した状態の外観図
【図２】フロートの連結状態の断面図
【図３】空気の吸排口の真上と側面からの状能図
【図４】空気の吸排ホースの状能断面図
【符号の説明】
【０００９】１    フロート本体
２    ジヨイント
３    吸排口
４    吸排用ホース
【図１】
0003129705.tif 000003
【図２】
0003129705.tif 000004
【図３】
0003129705.tif 000005
【図４】
0003129705.tif 000006
【手続補正書】
【提出日】平成18年11月8日(2006.11.8)
【手続補正１】
【補正対象書類名】実用新案登録請求の範囲
【補正対象項目名】全文
【補正方法】変更
【補正の内容】
【実用新案登録請求の範囲】
【請求項１】
丸形、三角形、角形等、いろいろな形のフロートに、四方八方の多角度、脱着機能ジョイント付フロート。
【手続補正２】
【補正対象書類名】明細書
【補正対象項目名】全文
【補正方法】変更
【補正の内容】
【考案の詳細な説明】
【技術分野】
【０００１】  本考案は、使用する物体にフィットした、大きさに、する事が出来、ムダを少なく、必要な時、必要に応じて、四方、八方の角度に広げたり、少なくくする事が出来る。又１ケ所のフロートが壊われても、他の連結されているフロートが、フロートとして独立し、ジョイントされている為安全かつ、壊われた部分のみ取変える事が出来るので、ムダを最小限に止める事が出来る。
【背景技術】
【０００２】  連結している、フロートは今迄も有りますが、いろいろな角度に簡単に、継足したり、へらしたりする事が出来なかった。
【考案の開示】
【考案が解決しようとする課題】
【０００３】  現存のフロートは、フロートに物体を合わせているので、物体に対し、大きかったり、小さかったりして最悪の場合、物体が抜けてしまったり、入らなかったりする。
【課題を解決する為の手段】
【０００４】  多角度、脱着機能のジョイントを付ける事により、必要に合わせて、大きくしたり、小さくしたり出来る。
【考案の効果】
【０００５】  フロートに物体と合わせる事なく、物体にフロートを合わせて形成する事が出来るので、装着する物体にフィットする。連結してある、フロートの１ケが破損しても、他の独立したフロートが、ジョイントで継がっているので、１ケ所のみ取変える事が出来、ムダが少ない、しかも破損した、フロート以外のフロートが、フロートとしての役目をはたしながらジョイントされているので案全である。
【考案の実施する為の最良の形能】
【０００６】  四方、八方、ジョイントを付ける事により、平面はもちろん立体的に、フロートを形成する事が出来、かつ色々な物体にフィットさせる事が出来る。ジョイントの長さは、フロートに空気を入れた状能時と、同等の長さにする事により、フロートとフロートが密着し、ジョイントがはずれにくく強度が増す。
【実施例】
【０００７】  オイルフェンス等、その時々によって、使用する、長さ、高さが変わっても使用する現場にて簡巣に変更出来る。人に装着する際も、幼児から大人迄フロートの数を変えて使用出来る。
【図面の簡単な説明】
【０００８】
【図１】  フロートに空気を入れ連結した状能の外観図
【図２】  フロートに空気を入れ連結した状能の断面図
【図３】  フロートの空気を抜き、ジョイントされてる状能図
【符号の説明】
１  フロート本体
２  ジョイント
【手続補正３】
【補正対象書類名】図面
【補正対象項目名】全図
【補正方法】変更
【補正の内容】
【図１】
0003129705.tif 000007
【図２】
0003129705.tif 000008
【図３】
0003129705.tif 000009